(57)【要約】【課題】  ホログラフィック情報記録方法及びホログラフィック情報記録／再生装置を提供する。【解決手段】ホログラフィック情報記録媒体のホログラフィック記録層に、ホログラムマークを記録して情報層を形成し、ホログラムマークが記録された情報層に光を照射して定着させるホログラフィック情報記録方法及びホログラフィック情報記録／再生装置である。【選択図】      図４
2010135054.tif 000002
【特許請求の範囲】
【請求項１】
ホログラフィック情報記録媒体のホログラフィック記録層に、ホログラムマークを記録して情報層を形成する段階と、
前記情報層に光を照射して情報層を定着させる段階と、
前記ホログラフィック記録層の互いに異なる深さに多数の記録層が形成されるように、前記情報層の形成及び定着を反復する段階とを含むホログラフィック情報記録方法。
【請求項２】
前記各記録層を形成する段階で、
前記ホログラフィック記録層から光を反射する段階を含むことを特徴とする請求項１に記載のホログラフィック情報記録方法。
【請求項３】
前記記録層それぞれを定着させる段階で、
前記情報層と、後続する情報層が形成されるホログラフィック記録層の１領域との間に位置するホログラフィック記録層の未記録領域を定着させることを特徴とする請求項１に記載のホログラフィック情報記録方法。
【請求項４】
あらゆる記録層の形成及び定着後、前記記録層間に位置するホログラフィック記録層の領域を定着させる段階をさらに含むことを特徴とする請求項１に記載のホログラフィック情報記録方法。
【請求項５】
前記記録層それぞれは、前記ホログラムが記録される記録領域と前記ホログラムが記録されないスペース領域とを含み、
前記記録層の定着段階は、記録層とスペース領域とを定着させる段階を含むことを特徴とする請求項１に記載のホログラフィック情報記録方法。
【請求項６】
前記情報層の記録段階及び定着段階は、単一光源からの光によって行われることを特徴とする請求項１ないし請求項５のうち、いずれか一項に記載のホログラフィック情報記録方法。
【請求項７】
前記ホログラフィック情報記録媒体は、反射層を具備し、
前記光源から出射された光は、信号光及び参照光に分割され、前記信号光及び参照光は、同一経路を介して、前記ホログラフィック情報記録媒体に入射すると共に、信号光並びに参照光のうち一つは、前記ホログラフィック記録層の焦点（位置）にフォーカシングされ、前記信号光並びに参照光のうち残りの一つは、前記焦点にフォーカシングされる前に、前記反射層で反射され、
前記記録層は、前記反射層から最も遠いか、あるいは最も近い前記ホログラフィック記録層の位置から順次に形成され、
前記情報層の定着段階は、前記光源から光を、分割しない状態で、前記反射層での反射なしに情報層のそれぞれにフォーカシングすることを特徴とする請求項６に記載のホログラフィック情報記録方法。
【請求項８】
前記光源からの光が信号光と参照光とに分割され、
前記記録層それぞれを形成する段階で、前記ホログラフィック情報記録媒体のホログラフィック記録層には、前記信号光及び参照光が互いに反対方向から、前記ホログラフィック情報記録媒体の両入射面を介して入射され、ホログラムマーク記録のための干渉縞を形成し、
前記情報層それぞれを定着させる段階は、前記信号光と参照光とが情報層それぞれにフォーカシングされる前に、記録層の未反応部分を通過しない信号光並びに参照光のうち、一つを使用することを特徴とする請求項６に記載のホログラフィック情報記録方法。
【請求項９】
前記情報層それぞれを形成する段階で、光源からの光を、前記各情報層を形成するように相互干渉する信号光と参照光とに分割し、
前記情報層それぞれを定着させる段階で、前記光源からの光を分割しない状態で使用し、前記各情報層それぞれを定着し、このとき、信号光並びに参照光のうち、少なくとも１つの焦点位置を変更し、信号光と参照光との干渉を抑制することを特徴とする請求項１ないし請求項５のうち、いずれか一項に記載のホログラフィック情報記録方法。
【請求項１０】
前記ホログラフィック情報記録媒体は、反射層を具備し、
前記情報層それぞれを形成する段階で、信号光及び参照光は、前記ホログラフィック情報記録媒体に同一光路を介して入射され、前記信号光及び参照光のうち、１つの光は、前記ホログラフィック情報記録媒体に直接入射され、直ちに前記ホログラフィック記録層の焦点位置にフォーカシングされ、残りの光は、前記反射層で反射された後、前記ホログラフィック記録層の焦点位置にフォーカシングされ、
前記情報層は、前記反射層から最も遠いか、あるいは最も近い前記ホログラフィック記録層の位置から順次に形成されることを特徴とする請求項９に記載のホログラフィック情報記録方法。
【請求項１１】
ホログラム記録層を含んでホログラフィック情報記録媒体上にホログラフィック情報を記録／再生するものであり、
前記ホログラフィック記録層に光を照射する光ピックアップと、
請求項１ないし請求項５のうち、いずれか一項に記載の方法によって、前記光ピックアップを制御する制御部を含むホログラフィック情報記録／再生装置。
【請求項１２】
前記光ピックアップは、光を発生する光源と、
前記光を信号光と参照光とに変換する偏光変換素子とを含み、
前記制御部は、前記光源からの光を、非変換状態で、前記情報記録層に照射し、前記情報記録層を定着させることを特徴とする請求項１１に記載のホログラフィック情報記録／再生装置。
【請求項１３】
前記ホログラフィック情報記録媒体は、反射層を具備し、
前記制御部は、前記光ピックアップを制御し、前記信号光並びに参照光のうち一つを、前記ホログラフィック記録層の焦点位置にフォーカシングさせるようにし、残りの一つは、前記反射層で反射された後、ホログラフィック記録層の焦点位置にフォーカシングさせ、
前記制御部は、前記反射層から最も遠いか、または近い前記ホログラフィック記録層の位置から前記情報層を順次に形成するように制御することを特徴とする請求項１２に記載のホログラフィック情報記録／再生装置。
【請求項１４】
前記光ピックアップは、
前記ホログラフィック情報記録媒体の第１面を介して参照光をフォーカシングする第１光路と、
前記ホログラフィック情報記録媒体の反対面である第２面を介して、信号光をフォーカシングする第２光路とを含み、
前記制御部は、前記ホログラフィック情報層の未反応領域を通過しない参照光並びに信号光のうち一つを利用し、前記情報層それぞれにフォーカシングされる前に、前記情報層を定着させるように、前記光ピックアップを制御することを特徴とする請求項１２に記載のホログラフィック情報記録／再生装置。
【請求項１５】
前記制御部は、前記ホログラムの記録に使われた信号光と参照光とを利用して情報層を定着させるように、前記光ピックアップを制御し、
前記情報層は、信号光並びに参照光のうち、少なくとも１つの焦点を変化させ、信号光と参照光との干渉を抑制させる間に、定着されることを特徴とする請求項１２ないし請求項１４のうち、いずれか一項に記載のホログラフィック情報記録／再生装置。
【発明の詳細な説明】
【技術分野】
【０００１】
本発明は、再生信号の安定性を確保することができるホログラフィック情報記録方法を関する。
【背景技術】
【０００２】
最近、ホログラムを利用した情報保存技術が注目を集めている。ホログラフィックデータ・ストレージの記録は、情報を光学干渉縞（interference  fringe）形態で、フォトポリマーのように、光度によって反応する材料に保存するのである。光学干渉縞は、可干渉性を有する（coherent）２つのレーザビームを利用して形成する。すなわち、経路を異にする参照光並びに信号光が互いに干渉して形成される干渉縞が、感光性情報記録媒体に、化学的あるいは物理的変化を起こして記録される。このように記録された干渉縞から情報を再生するためには、記録するときの光と類似した参照光が、情報記録媒体に記録された干渉縞に照射される。これは、干渉縞による回折を起こし、これによって、信号光が復元されつつ情報が再生される。
【０００３】
このようなホログラム情報保存技術は、ボリューム・ホログラフィ（volumne  holography）を利用し、ページ（page）単位で記録／再生するボリューム・ホログラフィ方式と、マイクロ・ホログラフィ（micro  holography）を利用し、単一ビット（single bit）で記録／再生するマイクロ・ホログラフィ方式とがある。ボリューム・ホログラフィ方式は、大規模な情報を同時に処理するという長所があるが、光学系が非常に精密に調整されねばならないために、一般消費者対象の情報保存装置として、商用化され難いという問題点がある。
【０００４】
一方、マイクロ・ホログラフィ方式は、２つの集光された光を焦点で干渉させて微細な干渉縞を形成し、このような干渉縞を情報記録媒体の平面上で移動しつつ、多数を記録して記録層を形成し、このような記録層を情報記録媒体の深さ方向で多層形成することによって、情報記録媒体上に情報を三次元で記録する方式である。
一般的に、マイクロ・ホログラフィ方式で記録容量を増やす方法として、よく利用されるのが記録層の多層化である。記録層を増やすほど、記録容量は増加するのであるが、記録層を増やすといっても、記録されたマーク領域の縞パターン（fringe  pattern）安定化を確保することができなければ、再生するとき、ノイズが発生する確率が高くなる。
【先行技術文献】
【特許文献】
【０００５】
【特許文献１】日本特許公開第２００７−００３６９２号公報
【発明の概要】
【発明が解決しようとする課題】
【０００６】
本発明が解決しようとする課題は、再生信号の安定性を確保することができるホログラフィック情報記録方法及びホログラフィック情報記録／再生装置を提供することである。
【課題を解決するための手段】
【０００７】
本発明の実施例によるホログラフィック情報記録方法は、ホログラフィック情報記録媒体のホログラフィック記録層に、ホログラムマークを記録して情報層を形成する段階と、ホログラムマークが記録された情報層に光を照射して定着させる段階とを含む。
【０００８】
前記ホログラフィック記録層には、深さ方向にホログラムマークが記録された複数の情報層が形成され、ホログラムマークを記録して１層の情報層を形成し、この１層の情報層に光を照射して定着させた後、次の情報層形成のためのホログラムマーク記録を行う方式で、複数の情報層形成及び各情報層の定着がなされうる。
【０００９】
本発明の実施例によるホログラフィック情報記録方法によれば、ホログラムマークを記録して１層の情報層を形成し、この１層の情報層に光を照射して定着させ、この１層の情報層と次に形成する情報層との間の領域に光を照射し、この領域を定着させた後、次の情報層形成のためのホログラムマーク記録、及びホログラムマークが記録された次の情報層に光を照射して定着を行う方式で、複数の情報層形成、各情報層及びその間の領域定着がなされうる。
【００１０】
本発明の実施例によるホログラフィック情報記録方法によれば、ホログラムマークを記録して１層の情報層を形成し、この１層の情報層に光を照射して定着させた後、次の情報層形成のためのホログラムマーク記録を行う方式で、複数の情報層形成及び各情報層を定着させ、複数の情報層形成及び定着後、それぞれの複数情報層間の領域に光を照射し、前記領域を定着させることができる。
【００１１】
前記情報層は、ホログラムマークが記録された記録マーク領域とその他のスペース領域とを含み、定着のための光は、記録マーク領域とスペース領域とにいずれも照射できる。
【００１２】
ホログラムマークが記録された情報層の定着は、ホログラムマーク記録に使われる光源から出射される光を単一光として照射してなされうる。
【００１３】
前記ホログラフィック情報記録媒体は、反射層を具備し、光源から出射された光から得られる信号光及び参照光は、前記ホログラフィック情報記録媒体に同一面を介して入射され、前記信号光及び参照光のうち、１つの光は、前記ホログラフィック情報記録媒体に入射され、直ちに前記ホログラフィック記録層のホログラムマーク形成位置に照射され、残りの光は、前記ホログラフィック情報記録媒体に入射され、前記反射層で反射された後、前記ホログラフィック記録層のホログラムマーク形成位置に照射され、前記反射層から最も遠いか、あるいは最も近い前記ホログラフィック記録層の位置から、ホログラムマーク記録を介した情報層形成がなされ、前記光源から出射される光を単一光として、前記反射層での反射なしに、前記ホログラムマーク形成位置に照射し、ホログラムマークが記録されて形成された情報層を定着できる。
【００１４】
ホログラムマークの記録動作時、前記ホログラフィック情報記録媒体のホログラフィック記録層には、前記信号光及び参照光が互いに反対方向から前記ホログラフィック情報記録媒体の両入射面を介して入射され、ホログラムマーク記録のための干渉縞を形成し、前記ホログラフィック記録層の一側から順に、第１情報層ないし第ｎ情報層（ここでｎは、２以上の整数）が形成され、最初に形成された情報層を第１情報層、最後に形成された情報層を第ｎ情報層とするとき、前記ホログラフィック情報記録媒体の両入射面のうち、前記第１情報層が前記第ｎ情報層より近い第１入射面を介して入射される光がホログラムマークが記録された情報層の定着に使われうる。
【００１５】
ホログラムマークが記録された情報層の定着に、ホログラムマーク記録に使われる信号光及び参照光をいずれも使用し、信号光及び参照光のうち、少なくともいずれか１つの焦点位置を変更し、情報層の定着は、信号光及び参照光間の干渉発生を抑制させた状態でなされうる。
【００１６】
前記ホログラフィック情報記録媒体は、反射層を具備し、信号光及び参照光は、前記ホログラフィック情報記録媒体に同一面を介して入射され、前記信号光及び参照光のうち、第１光は、前記ホログラフィック情報記録媒体に入射され、直ちに前記ホログラフィック記録層のホログラムマーク形成位置に照射され、残りの第２光は、前記ホログラフィック情報記録媒体に入射され、前記反射層で反射された後、前記ホログラフィック記録層のホログラムマーク形成位置に照射され、前記反射層から最も遠いか、あるいは最も近い前記ホログラフィック記録層の位置から、ホログラムマーク記録を介した情報層形成がなされうる。
【００１７】
本発明の実施例によるホログラフィック情報記録／再生装置は、ホログラムマークが記録されるホログラフィック記録層を含むホログラフィック情報記録媒体に光を照射し、ホログラムマークを記録し、この記録されたホログラムマークに光を照射して記録されたホログラムマークを定着させる光ピックアップを含み、前記ホログラフィック情報記録方法によって、情報記録がなされる。
【発明の効果】
【００１８】
本発明によるホログラフィック情報記録方法及びホログラフィック情報記録／再生装置によれば、定着によって保存データの保全安定性が改善され、再生時にノイズの発生が抑制できる。また、複数の情報層形成時、記録マークとスペースとの屈折率差を低くすることができ、記録のために次の情報層に達する途中で光に発生する球面収差の発生を小さくでき、記録時のデータ生成安定性を高めることができる。
【図面の簡単な説明】
【００１９】
【図１】本発明の一実施形態によるホログラフィック情報記録方法によるホログラフィック情報記録／再生装置の例を概略的に示す図である。
【図２】図１に採用されうる反射型ホログラフィック情報記録媒体の一例、及び信号光と参照光との焦点形成を概略的に示す図である。
【図３】本発明の一実施形態によるホログラフィック情報記録方法を概略的に示す図である。
【図４】本発明の一実施形態によるホログラフィック情報記録方法を概略的に示す図である。
【図５】本発明の一実施形態によるホログラフィック情報記録方法を概略的に示す図である。
【図６】本発明の他の実施形態によるホログラフィック記録方法を実現できるホログラフィック情報記録／再生装置の光学的構成の一例を概略的に示す図である。
【図７】本発明の他の実施形態によるホログラフィック情報記録方法を概略的に示す図である。
【図８】本発明の他の実施形態によるホログラフィック情報記録方法を概略的に示す図である。
【図９】本発明の他の実施形態によるホログラフィック情報記録方法を概略的に示す図である。
【発明を実施するための形態】
【００２０】
以下、添付された図面を参照しつつ、本発明の望ましい実施形態について詳細に説明する。
【００２１】
本発明の実施形態によれば、ホログラフィック情報記録媒体のホログラフィック記録層に、ホログラムマーク（干渉縞パターン（interference  fringe  pattern））を記録して情報層を形成した後、このホログラムマークが記録された情報層に光を照射して定着させる。このように、記録マークの定着過程を経ることによって、記録されたマーク領域の縞パターン（fringepattern）安定化を確保し、再生時のノイズを減らすことができ、次期（または後続）情報層形成時に、厚さ方向及び光が次に形成された情報層に達するまでの球面収差を低くして記録精密度を高め、再生時の安定性を図ることができる。
【００２２】
以下で説明する実施形態によれば、情報層形成と次の情報層形成との間に、先に記録された情報層の定着（fixing）過程を進めるので、定着過程に記録／再生用光を利用でき、定着に使用するための別途の光源が不要である。
【００２３】
以下、ホログラフィック情報記録／再生装置光学系の具体的な例を挙げつつ、本発明の実施形態によるホログラフィック情報記録方法について説明する。
【００２４】
図１は、本発明の一実施形態によるホログラフィック情報記録方法によるホログラフィック情報記録／再生装置の例を概略的に示している。図２は、図１に採用されうる反射型ホログラフィック情報記録媒体２００の一例、及び信号光Ｌ１１と参照光Ｌ１２との焦点形成を概略的に示している。
【００２５】
図１を参照するに、ホログラフィック情報記録／再生装置は、反射型ホログラフィック情報記録媒体２００に情報を記録し、記録された情報を再生する装置であって、ホログラフィック情報記録媒体２００の単一面に光を照射する光ピックアップ５００と、光ピックアップ５００から照射された光によって、ホログラフィック情報記録媒体にホログラムマークが記録されて情報層が形成され、このホログラムマークが記録された情報層に光を照射して定着させるように、光ピックアップ５００を制御する制御部６００と、図示されていない回路部とを含む。
【００２６】
光ピックアップ５００は、ホログラフィック情報記録媒体２００のホログラフィック記録層に光を照射してホログラムマークを記録し、このホログラムマークが同一面上に記録されて得られる情報層を形成し、このようなホログラムマークが記録された情報層に光を照射して定着（fixing）させるように設けられうる。
【００２７】
光ピックアップ５００は、例えば、第１光源５１０と、第１焦点制御ユニット５２０と、反射部材５２４と、第１ビームスプリッタ５２６と、偏光変換素子５２８と、偏光選択性屈折レンズ５３０と、１／４波長板５３２と、対物レンズ５３４と、第１光検出器５７０とを含むことができる。
【００２８】
第１光源５１０は、記録／再生や定着に使われる光Ｌ１を放出するものであり、例えば、緑色光または青色光を放出する半導体レーザダイオードが採用されうる。
【００２９】
第１焦点制御ユニット５２０は、前記光Ｌ１のホログラフィック情報記録媒体２００内での焦点位置を可変させるためのものであり、複数のリレイレンズ群からなりうる。例えば、第１焦点制御ユニット５２０は、リレイレンズ群５２１，５２２を含み、このリレイレンズ群５２１，５２２のうち、少なくとも１枚のレンズ５２１は、例えば、駆動部（図示せず）によって機構的に駆動され、光軸に沿って平行移動されうる。このように、リレイレンズ群５２１，５２２のうち、少なくとも１枚のレンズ５２１を光軸方向に沿って移動させることによって、第１焦点制御ユニット５２０は、ホログラフィック情報記録媒体２００内に結ばれる光Ｌ１の焦点位置を可変させることができる。このような第１焦点制御ユニット５２０は、ホログラフィック情報記録媒体２００内での多層記録を可能にする。すなわち、図２に図示されているように、記録モード時に、光Ｌ１から得られる信号光Ｌ１１及び参照光Ｌ１２がホログラフィック情報記録媒体２００内の１焦点Ｆに集光することによる信号光Ｌ１１及び参照光Ｌ１２の干渉によって、ホログラムマークが記録されて１層の情報層が形成され、焦点制御ユニット５２０によって、光Ｌ１の焦点位置を変えれば、他の位置にホログラムマークが記録され、他の情報層が形成されるようになるので、１つのホログラフィック記録層２６０内に、多層の情報層記録がなされる。ここでは、第１焦点制御ユニット５２０として、リレイレンズ群５２１，５２２からなるビーム拡張器を使用する例について説明及び図示したが、第１焦点制御ユニット５２０の構成がこれに限定されるものではない。例えば、第１焦点制御ユニット５２０は、液晶レンズを利用して具現することもできる。液晶レンズに印加される電圧のサイズによって、所定偏光の光が屈折する屈折角が変化し、これによって光の焦点位置が可変されうる。このような液晶レンズの構成自体については、本技術分野に公知であるので、詳細な説明は省略する。
【００３０】
一方、図２に図示されているように、信号光Ｌ１１の焦点が参照光Ｌ１２の焦点よりさらに長く、信号光Ｌ１１と参照光Ｌ１２とを、同一光路を介してホログラフィック情報記録媒体２００に入射させるように光学系が構成されるが、このような信号光Ｌ１１と参照光Ｌ１２との焦点差は、後述する偏光選択性屈折レンズ５３０を介して得られる。
【００３１】
反射部材５２４は、光路を適切に折り曲げるミラーであり、光ピックアップ５００内の光学素子を適切に配させるものである。反射部材５２４は、ホログラフィック情報記録媒体２００がチルトされることに対応し、二次元的に反射面を移動させるように設けられ、ホログラフィック情報記録媒体２００のチルトに光ピックアップ５００を対応させることができる。
【００３２】
第１ビームスプリッタ５２６は、第１光源５１０から出射される光Ｌ１に対しては、偏光ビームスプリッタとして機能を行うように設けられうる。第１ビームスプリッタ５２６は、後述する第２光源５５０のサーボ光Ｌ３に対しては、単純反射ミラーとして機能を行うように設けられうる。ホログラフィック情報記録媒体２００に照射される光Ｌ１の偏光方向と、後述するように、ホログラフィック情報記録媒体２００から反射された光Ｌ１の偏光方向は、互いに直交するので、前記光Ｌ１に対して、偏光ビームスプリッタとして機能を行う場合、第１ビームスプリッタ５２６は、ホログラフィック情報記録媒体２００に入射される光Ｌ１と、ホログラフィック情報記録媒体２００から反射される光Ｌ２とを分離させることができる。
【００３３】
偏光変換素子５２８は、入射される光を、領域によって偏光変換を異にするように設けられうる。例えば、図２を参照するに、偏光変換素子５２８は、記録モードや再生モードに関係なく、第１光源５１０から放出されたＰ偏光の光を、偏光変換なしに通過させる無変換領域５２８ａと、記録時には、第１光源５１０から放出されたＰ偏光の光を、Ｓ偏光の光に偏光変換させ、再生時や定着時には、第１光源５１０から放出されたＰ偏光の光を、偏光変換なしに通過させる選択的偏光変換領域５２８ｂとを含むように構成できる。このとき、偏光変換素子５２８で、無変換領域５２８ａは、偏光変換素子５２８の中心部領域を占め、選択的偏光変換領域５２８ｂは、中心部領域を巡る周辺部領域を占めるように設けられうる。代案として、選択的偏光変換領域５２８ｂが偏光変換素子５２８の中心部領域を占め、無変換領域５２８ａが周辺部領域を占めるように配された構成を有することも可能である。
【００３４】
このような偏光変換素子５２８で、無変換領域５２８ａは、透明な部材からなり、選択的偏光変換領域５２８ｂは、例えば、能動型１／２波長板でもってなされうる。選択的偏光変換領域５２８ｂをなす能動型１／２波長板は、その光学軸、特に速い軸が入射されるＰ偏光の偏光方向と４５°の角度になるように配され、記録モードで、Ｐ偏光の光をＳ偏光の光に偏光変換させることができる。一方、無変換領域５２８ａは、記録モードに関係なく、Ｐ偏光の光をそのまま通過させるので、記録時に、中心部の無変換領域５２８ａを通過するＰ偏光の光は、例えば、参照光Ｌ１２に対応し、周辺部の選択的偏光変換領域５２８ｂで偏光変換されたＳ偏光の光は、例えば、信号光Ｌ１１に対応しうる。
【００３５】
従って、記録時には、互いに直交する偏光の信号光Ｌ１１と参照光Ｌ１２は、外縁の光束（light  flux）と内縁の光束とに分けられたまま、同じ光路に沿って、引き続く偏光選択性屈折レンズ５３０を過ぎることになる。再生時や定着時には、第１光源５１０から出射された光Ｌ１は、偏光変換素子５２８によって互いに直交する偏光の内縁の光束と外縁の光束とに分けられず、単一偏光状態で進む。
【００３６】
偏光選択性屈折レンズ５３０は、偏光変換素子５２８を通過した光に対して、偏光方向によって屈折力を異にさせるものであり、例えば、Ｐ偏光の光はそのまま透過させるが、Ｓ偏光の光は屈折させる。このような偏光選択性屈折レンズ５３０としては、偏光方向によって屈折力を異にする液晶レンズ、または偏光ホログラム素子が採用されうる。液晶レンズは、液晶の複屈折特性を利用するものであり、液晶に電圧が印加されることによって液晶分子の整列状態が変わり、Ｐ偏光とＳ偏光とに対して、互いに異なる屈折力を有する。偏光ホログラム素子は、入射される光の偏光方向によって、互いに異なる屈折力を有するようになった素子であり、階段型または鋸歯状（blazed）ホログラムパターンを有し、１偏光成分の光は屈折させ、他の偏光成分の光はそのまま透過させるように設けられうる。このような液晶レンズや偏光ホログラム素子は、本技術分野で公知であるので、詳細な説明は省略する。
【００３７】
図２を参照して例を挙げれば、記録時には、偏光変換素子５２８の無変換領域５２８ａに対応する偏光選択性屈折レンズ５３０の第１屈折レンズ領域５３０ａには、Ｐ偏光の参照光Ｌ１２が入射されるので、第１屈折レンズ領域５３０ａに入射された参照光Ｌ１２は、屈折なしにそのまま透過されうる。一方、偏光変換素子５３０の選択的偏光変換領域５２８ｂに対応する偏光選択性屈折レンズ５３０の第２屈折レンズ領域５３０ｂには、Ｓ偏光の信号光Ｌ１１が入射されるので、第２屈折レンズ領域５３０ｂに入射された信号光Ｌ１１は、屈折されて透過されうる。図２で、偏光選択性屈折レンズ５３０の第１屈折レンズ領域５３０ａと第２屈折レンズ領域５３０ｂは、偏光変換素子５２８の無変換領域５２８ａと選択的偏光変換領域５２８ｂとに対応する領域を区分して表示しただけであり、光学的構成において、領域が区別されることはない。
【００３８】
前記のような偏光選択性屈折レンズ５３０を通過しつつ、信号光Ｌ１１と参照光Ｌ１２とが対物レンズ５３４によって結ばれる焦点が変わる。図２では、外縁の光束である信号光Ｌ１１の焦点が内縁の光束である参照光Ｌ１２の焦点より遠い例を示しているが、その焦点距離が反対になるように、偏光選択性屈折レンズ５３０が構成されもする。また、焦点がさらに近い内縁の光束を信号光Ｌ１１、焦点がさらに遠い外縁の光束を参照光Ｌ１２として使用することもできる。
【００３９】
再生時や定着時には、第１光源５１０から出射された光Ｌ１は、偏光変換素子５２８によって互いに直交する偏光の内縁の光束と外縁の光束とに分けられず、単一偏光状態で進むので、記録時の参照光Ｌ１２と同様に、偏光選択性屈折レンズ５３０を屈折なしにそのまま通過させ、参照光Ｌ１２と同じ光路に沿う。すなわち、再生時や定着時には、光が反射過程なしに、対物レンズ５３４の焦点にフォーカシングされる。
【００４０】
再び図１を参照するに、１／４波長板５３２は、ホログラフィック情報記録媒体２００に入射される光の偏光と反射される光の偏光とを変える役割を行う。例えば、１／４波長板５３２は、入射される線偏光の光を円偏光に変え、ホログラフィック情報記録媒体２００から反射されて戻ってくる円偏光の光を、前記入射される線偏光と直交する他の線偏光の光に変える。これによって、ホログラフィック情報記録媒体２００から反射される再生光Ｌ２の経路は、ホログラフィック情報記録媒体２００に入射される光Ｌ１の経路と分離され、第１光検出器５７０で検出されうる。
【００４１】
記録時、１／４波長板５３２によって、信号光Ｌ１１と参照光Ｌ１２は、互いに直交する円偏光状態でホログラフィック情報記録媒体２００に向かう。再生時や定着時には、偏光変換素子５２８の選択的偏光変換領域５２８ｂが入射光を、偏光変換なしに透過させるので、第１光源５１０から進むＰ偏光の光Ｌ１は、偏光変換素子５２８を偏光変換なしにそのまま透過し、偏光選択性屈折レンズ５３０による屈折角変化なしにそのまま透過するので、このＰ偏光の光Ｌ１は、１／４波長板５３２によって１円偏光状態に変換され、ホログラフィック情報記録媒体２００に向かい、記録時の参照光Ｌ１２の経路に沿って、焦点Ｆに直ちにフォーカシングされる。このように、再生時や定着時のＰ偏光の光Ｌ１は、記録時の参照光Ｌ１２と同一偏光特性、及び同一焦点距離を示すことができる。従って、再生時や定着時に、参照光を使用すると記述できる。
【００４２】
対物レンズ５３４は、記録、再生または定着に使われる光Ｌ１及びサーボ光Ｌ３を、ホログラフィック情報記録媒体２００の所定領域に集光させるレンズである。前述のように、信号光Ｌ１１及び参照光Ｌ１２は、互いに直交する異なる偏光を有し、偏光選択性屈折レンズ５３０は、偏光方向によって屈折力を異にさせる素子であるので、信号光Ｌ１１及び参照光Ｌ１２は、対物レンズ５３４での焦点距離が変わりうる。このとき、参照光Ｌ１２の焦点距離を、信号光Ｌ１１の焦点距離より短くし、参照光Ｌ１２を情報層２７０上に位置する焦点Ｆに直接集光させ、信号光Ｌ１１は、反射層２４０で反射された後、前記焦点Ｆに集光されるように、対物レンズ５３４や偏光選択性屈折レンズ５３０の屈折力を設計できる。このような光学設計は、光学素子間の具体的な位置関係、ホログラフィック情報記録媒体２００の具体的なスペックによって変わりうる。
【００４３】
一方、光ピックアップ５００は、サーボ信号を得るために、第２光源５５０と、第２焦点制御ユニット５６２と、第２ビームスプリッタ５６０及び第３ビームスプリッタ５６６と、第２光検出器５７２とをさらに含むことができる。
【００４４】
第２光源５５０は、サーボ光Ｌ３を放出する光源であって、例えば、赤色光の半導体レーザダイオードが採用されうる。第２光源５５０は、一方向の線偏光の光Ｌ３を放出するように設けられうる。これは、後述するように、第２ビームスプリッタ５６０からホログラフィック情報記録媒体２００に入射されるサーボ光Ｌ３と、ホログラフィック情報記録媒体２００から反射されるサーボ光Ｌ４とを偏光方向によって分離させるためである。第２光源５５０の前には、回折格子（図示せず）をさらに設け、第２光源５５０から放出されたサーボ光Ｌ３を０次回折光や±１次回折光などに回折させ、サーボエラー信号検出に、３ビーム法や差動プッシュプル法などを利用することもできる。図１では、サーボ情報を読み取るために、記録、再生または定着に使われる光Ｌ１と異なる波長のサーボ光Ｌ３を放出する別途の光源を採用した場合を例示しているが、このような別途のサーボ光学系を具備する代わりに、前記光Ｌ１を放出する第１光源５１０がサーボ光源を兼用するように、システムを構成することもできる。
【００４５】
第２ビームスプリッタ５６０としては、偏光ビームスプリッタが採用されうる。１／４波長板５３２の存在によって、ホログラフィック情報記録媒体２００に照射されるサーボ光Ｌ３の偏光方向と、ホログラフィック情報記録媒体２００から反射されるサーボ光Ｌ４の偏光方向は、互いに直交するので、第２ビームスプリッタ５６０として偏光ビームスプリッタを具備し、ホログラフィック情報記録媒体２００に入射されるサーボ光Ｌ３と、ホログラフィック情報記録媒体２００から反射されるサーボ光Ｌ４との光路を分離させることができる。
【００４６】
第２焦点制御ユニット５６２としては、例えば、リレイレンズ群５６３，５６４からなるビーム拡張器（beam  expander）を具備できる。代案として、第２焦点制御ユニット５６２は、液晶レンズを利用して具現することもできる。第２焦点制御ユニット５６２は、サーボ光Ｌ３がホログラフィック情報記録媒体２００内に結ばれる焦点位置を調節する。この第２焦点制御ユニット５６２の実質的な構成は、第１焦点制御ユニット５２０と類似しているので、これについての詳細な説明は省略する。
【００４７】
第３ビームスプリッタ５６６は、例えば、第１光源５１０から放出され、ホログラフィック情報記録媒体２００から反射される再生光Ｌ２は透過させ、第２光源５５０から放出されたサーボ光Ｌ３，Ｌ４に対しては、単純なミラーとして機能を行うように設けられうる。このために、第３ビームスプリッタ５６６は、光を波長によって、透過または反射させるように設計された反射膜を具備するように設けられうる。
【００４８】
第１光検出器５７０は、第１光源５１０から放出され、ホログラフィック情報記録媒体２００から反射され、第１ビームスプリッタ５２６及び第３ビームスプリッタ５６６を経由した再生光Ｌ２を検出する素子である。
【００４９】
第２光検出器５７２は、第２光源５５０から放出され、ホログラフィック情報記録媒体２００から反射され、第１ビームスプリッタ５２６，第２ビームスプリッタ５６０及び第３ビームスプリッタ５６６を経由したサーボＬ４を検出する素子である。
【００５０】
一方、本実施形態のホログラフィック情報記録／再生装置に使われるホログラフィック情報記録媒体２００は、反射型である。図２では、反射型ホログラフィック情報記録媒体２００の一例を示したものであり、本発明の実施形態によるホログラフィック情報記録／再生装置に使われる反射型ホログラフィック情報記録媒体は、これに限定されるものではない。すなわち、反射型ホログラフィック情報記録媒体は、基板上に反射層及びホログラフィック記録層を具備し、その他の追加的構成は、選択的に具備できる。
【００５１】
図２を参照するに、反射型ホログラフィック情報記録媒体２００は、基板２１０と、サーボ層２２０と、バッファ層２３０と、反射層２４０と、スペース（space  layer）層２５０と、ホログラフィック記録層２６０と、カバー層２９０が順次に積層された構造を有することができる。
【００５２】
基板２１０は、ディスク形状のような記録媒体の形状を維持するために設けられた支持体であり、ポリカーボネート樹脂、アクリル樹脂などから形成されうる。
【００５３】
カバー層２９０は、ホログラフィック記録層２６０を保護するためのものであり、ホログラフィック記録層２６０の材料が固体ではない場合には、記録媒体の形状を維持する役割も行う。カバー層２９０の上面には、表面反射を抑制するための反射防止層（図示せず）がさらに設けられうる。信号光Ｌ１１と参照光Ｌ１２は、カバー層２９０を介して、ホログラフィック記録層２６０に入射して情報を記録する。
【００５４】
スペース層２５０は、ホログラフィック記録層２６０と反射層２４０との間の空間を確保するための層であり、反射層２４０と、ホログラフィック記録層２６０内に形成される情報層との距離を確保させる。スペース層２５０は、ホログラフィック記録層２６０の性能によって、その厚さが変わるが、大体０ないし１００μｍの厚さに形成される。このように、反射層２４０と情報層２７０との間に距離が確保されることによって、再生時に、反射層２４０から一部反射される光によるノイズを減少させることができる。スペース層２５０とノイズ減少との関係については、後述する。スペース層２５０は、必須な層ではなく、ホログラフィック記録層２６０の一部厚さを記録に使用せずに、スペース層に替えることもできる。
【００５５】
反射層２４０は、互いに直交する第１円偏光及び第２円偏光に対して、第１円偏光の光は反射させ、第２円偏光の光は透過させる偏光選択性物質によって形成されうる。また、反射層２４０は、反射される第１円偏光の光の偏光方向をそのまま維持させるように形成されうる。このような反射層２４０は、液晶状態または硬化された液晶フィルムのコレステリック液晶（cholesteric  liquid  crystal）で形成されうる。コレステリック液晶は、液晶分子の方向子が螺旋形によじれている構造であり、螺旋形に該当する円偏光の光を反射させ、螺旋形の反対方向に該当する円偏光の光を透過させ、互いに直交する２つの円偏光に分離でき、反射される光は、本来の円偏光状態に維持させる。ここで、反射層２４０は、このような偏光選択性物質に限定されるものではなく、通常の反射膜から形成され、反射される光の円偏光の方向が反対になることができ、その場合、第１円偏光及び第２円偏光は、同一偏光状態でカバー層２９０を介して入射される。
【００５６】
図２のように、反射層２４０によって反射された後、焦点Ｆにフォーカシングされる光が信号光Ｌ１１になる場合、信号光Ｌ１１が第１円偏光、参照光Ｌ１２が第２円偏光になるように、偏光変換素子５２８及び１／４波長板５３２が設けられうる。
【００５７】
バッファ層２５０は、反射層２４０とサーボ層２２０との間に介在された層であり、透明な材質、または記録／再生のための光の波長に対しては、吸収する材質から形成されうる。バッファ層２５０は、サーボ層２２０に形成されたサーボ情報のパターンを覆い、反射層２４０を平坦に形成させる。
【００５８】
サーボ層２２０は、サーボ情報が書き込まれた層であり、サーボ光Ｌ３を反射させる。サーボ光Ｌ３の波長は、記録、再生または定着のための光Ｌ１の波長と異なるので、サーボ層２２０上部にある層、すなわち、バッファ層２３０と、反射層２４０と、スペース層２５０と、ホログラフィック記録層２６０と、カバー層２９０は、サーボ光を透過できるように設けられる。
【００５９】
記録動作を行えば、ホログラフィック記録層２６０には、干渉縞によるホログラムマークを記録して得られる情報層２７０が存在することになる。情報を記録する前には、情報層２７０は、仮想的にだけ存在し、物理的にホログラフィック記録層２６０の他の領域と差がない。
【００６０】
ホログラフィック記録層２６０は、干渉縞によるホログラムマーク形態で情報が記録されうる光反応物質で形成される。例えば、ホログラフィック記録層２６０は、フォトポリマー（photo  polymer）や熱可塑性物質によって形成されうる。光反応物質は、光を吸収すれば、屈折率が変わる物質であり、一般的に、光度に比例して屈折率が変わることになる。光反応物質は、所定の臨界値を有し、臨界値以上の光でのみ反応が起こる非線形特性を有することができる。ホログラフィック記録層２６０の材料が非線形特性を有する場合、ホログラフィック記録層２６０の深さ方向に、複数の情報層を形成しようとするとき、焦点位置から遠ざかるほど、急激に干渉縞の強度が弱くなり、稠密に多層記録して記録密度を高めることができるためである。
【００６１】
ホログラフィック記録層２６０の一側、例えば、内周側または外周側には、ホログラフィック記録層２６０に形成される複数の情報層を識別する情報を得るための層識別領域２８０が存在しうる。この層識別領域２８０は、例えば、ホログラフィック記録層２６０内に形成される複数の情報層２７０に対応する複数の反射層２８２と、反射層２８２間に介在される複数の透明スペース層２８１を含むことができる。
【００６２】
層識別領域２８０は、反射層２８２から反射される光で、情報層２７０の位置を識別させる。層識別領域２８０の各反射層２８２には、対応する情報層２７０の層番号情報が書き込まれうる。反射層２８２の存在自体でもって、情報層２７０を区分し、情報層２７０の高さを決定できるので、層番号情報は、反射層２８２の存在自体になりうる。また、このような層番号情報は、情報層２７０の実際層数についての情報でありうる。各反射層２８２には、このような層番号情報以外にも、各情報層２７０固有のものに該当する情報が書き込まれうる。それ以外に、ホログラフィック情報記録媒体自体についての情報が書き込まれることもある。このような情報は、各反射層２８２に、ピットないしウォブル、それ以外のマークで記録されうる。
【００６３】
このような各層番号情報を示す層識別領域２８０の反射層２８２は、記録時に、ホログラフィック記録層２６０の厚さ方向に、情報層２７０を形成する位置を決定させる。このような層識別領域２８０によって、所望の層番号情報を有する反射層２８２に対応するホログラフィック記録層２６０の位置上に、情報層２７０を形成できる。
【００６４】
以下、図１及び図２を参照して説明したホログラフィック情報記録／再生装置を利用した情報記録方法について説明する。
【００６５】
図１を参照するに、ホログラフィック情報記録／再生装置は、まず光ピックアップ５００を、ホログラフィック情報記録媒体２００の層識別領域２８０に光を照射するように位置させ、層識別領域２８０に設けられた層識別情報を読み取ることによって、対物レンズ５３４の焦点位置を確認する。このとき、層識別領域２８０に照射される光は、第１光源５１０から放出された光Ｌ１を利用できる。例えば、カバー層２９０を通過し、直ちに焦点を結ぶ参照光Ｌ１２、または再生モード時や定着動作時と同一に動作させて得られる単一光を利用し、層識別領域２８０に設けられた層識別情報を読み取ることができる。次に、情報を記録したり、または記録された情報を読み取ろうとする情報層２７０の位置に該当する層識別領域２８０の反射層２８２で、対物レンズ５３４の焦点位置Ｆを可変させる。このような焦点位置Ｆの可変は、第１焦点制御ユニット５２０を介してなされる。かような情報層２７０の層位置を識別する段階では、単一光のみを使用することで十分であるので、偏光変換素子５２８は、偏光変換なしに第１光源５１０から放出された光Ｌ１をそのまま透過させるように動作されうる。すなわち、情報層２７０の層位置識別段階では、光ピックアップ５００の光学系が再生モード時と同様に動作されうる。
【００６６】
次に、ホログラフィック情報記録／再生装置は、対物レンズ５３４の焦点位置Ｆを維持したままで、光ピックアップ５００をホログラフィック記録層２６０の情報記録領域に移動させ、該当する位置に情報を記録して情報層２７０を形成したり、または情報層２７０に記録された情報を読み取る。
【００６７】
記録モード時、信号光Ｌ１１と参照光Ｌ１２は、同じ対物レンズ５３４を介してホログラフィック情報記録媒体２００に入射される。信号光Ｌ１１は、反射層２４０で反射された後、ホログラフィック記録層２６０内の情報層２７０に焦点Ｆを結び、参照光Ｌ１２は、カバー層２９０に入射された後、直ちに情報層２７０に焦点Ｆを結ぶ。このように、信号光Ｌ１１と参照光Ｌ１２とが情報層２７０に焦点Ｆを結ぶことによって、情報層２７０には、干渉縞が形成される。このような干渉縞は、光Ｌ１の変調された状態によってその形状が変わるので、干渉縞によって情報が記録されうる。このような干渉縞は、同一面上でトラックに沿って記録され、ホログラフィック記録層２６０内に１つの情報層２７０を形成でき、ホログラフィック記録層２６０の深さ方向に焦点位置を異にしつつ、干渉縞を形成することによって、多層で記録して複数の情報層を形成できる。ホログラフィック情報記録媒体２００は、各焦点Ｆごとに単一ビット（single  bit）の情報が干渉縞に込められるマイクロ・ホログラフィ方式を適用できるが、本発明の実施形態は、これに限定されるものではない。例えば、前記焦点Ｆで、信号光Ｌ１１のスポットと参照光Ｌ１２のスポットとが重なり、立体的に干渉縞が形成され、多数の情報が同時に書き込まれるボリューム・ホログラフィ方式が適用されることもある。
【００６８】
ここで、情報層２７０の層位置識別は、第１光源５１０から出射された光Ｌ１を利用する代わりに、第２光源５５０のサーボ光を利用することもできる。また、情報層２７０の層位置識別のための別途の光源及び光学系をさらに具備し、この別途の光源から出射された光を利用し、情報層２７０の層位置識別をすることもできる。
【００６９】
本発明の実施形態によるホログラフィック情報記録方法によれば、制御部６００の制御によって、記録時には、ホログラフィック記録層の所望の層位置の同一面上で、トラックに沿って、ホログラムマークを記録して１つの情報層を形成し、ホログラムマークが記録された情報層に光を照射し、この情報層を定着させる。
【００７０】
ここで、記録後に定着過程を経ずに、直ちに再生を行うようになれば、媒体内にポリマー（polymer）に変わらずに残っている未反応モノマーが、再生光によって反応性を示すことになり、結局、記録時に形成された縞パターンとは異なる別個の形状が生じ、再生時のノイズとして作用することになる。一方、情報層を定着させれば、情報層に存在する未反応モノマーが再生光に反応性を示さないように定着し、記録時に形成された縞パターン形状がそのまま維持され、未反応モノマーが再生光に反応性を示し、再生時のノイズとして作用する可能性を減らしたり、または除去できる。
【００７１】
制御部６００は、記録モード時には、光源５１０から変調された光Ｌ１が出射され、再生モード時や定着モード時には、非変調の光Ｌ１が出射されるように、第１光源５１０を制御できる。
【００７２】
ホログラフィック記録層２６０に、深さ方向にホログラムマークが記録された複数の情報層を形成するとき、図３のように、まず１層の情報層２７０−１が記録される位置に、信号光Ｌ１１及び参照光Ｌ１２の焦点Ｆを位置させた後、信号光Ｌ１１及び参照光Ｌ１２の干渉によって得られるホログラムマークを記録し、１層の情報層２７０−１を形成する。その後、図４のように、参照光Ｌ１２’だけを、すぐ前に形成された情報層２７０−１に照射し、情報層２７０−１を定着させる。定着動作時に、偏光変換素子５２８は、偏光変換なしに第１光源５１０から放出された光Ｌ１を、そのまま透過させるように動作されうるが、この場合、前記光Ｌ１は、いずれも参照光Ｌ１２’として使われうる。このような点を考慮し、定着動作時の参照光Ｌ１２’を、記録動作時の参照光Ｌ１２と表記を別にした。
【００７３】
情報層２７０−１に対する定着後、対物レンズ５３４の焦点位置を変更し、図５のように、次の情報層２７０−２が記録される位置に焦点Ｆを位置させた後、次の情報層２７０−２を形成する。その後、この情報層２７０−２に参照光Ｌ１２’だけを照射し、情報層２７０−２を定着させる。
【００７４】
ここで、前記の通りに、反射層２４０を有するホログラフィック情報記録媒体２００の場合、反射層２４０によって反射されない光、例えば、参照光Ｌ１２’を定着に利用すれば、定着時に照射される光によって、ホログラフィック記録層２６０の未反応領域（すなわち、記録がまだなされていない領域）の感度低下及びＭ＃損失などを最大限減らすことができる。ホログラフィック記録層２６０の材質は、光が照射される回数が多くなるほど、感度低下及びＭ＃損失が発生しうるので、定着光は、情報層形成がまだなされていない領域を経由しない光を利用することが、未反応領域の感度低下及びＭ＃損失などを最大限減らすことができるのである。一方、未反応領域の感度低下及びＭ＃損失などを減らすことを考慮し、複数の情報層形成は、反射層２４０とは反対側にある光入射面に近い位置から形成することもできる。もちろん、複数の情報層は、反射層２４０に近い位置から形成することもできる。
【００７５】
前記の通りに、対物レンズ５３４の焦点位置を変更しつつ、ホログラムマークを記録して１層の情報層を形成し、この１層の情報層に光を照射して定着させた後、次の情報層形成のためのホログラムマーク記録を行う方式で、ホログラフィック記録層２６０内に、深さを異にさせつつ、複数の情報層、すなわち、第１情報層２７０−１ないし第ｎ情報層２７０−ｎ（ここで、ｎは２以上の整数）形成、及び各情報層の定着を行うことができる。
【００７６】
このとき、各情報層には、ホログラムマークが記録された記録マーク領域２７１と、その他のスペース領域２７３とが存在するが、定着動作時、定着のための光は、記録マーク領域２７１だけではなく、スペース領域２７３を等しく過ぎるように照射される。このように、記録マーク領域２７１とスペース領域２７３とにいずれも定着光を照射すれば、情報層の全領域が定着すると同時に、ホログラムマークが記録された領域と未記録の領域との屈折率差が減るように調節でき、他の情報層記録時に、光がその他の情報層に達することまでの球面収差などの収差を減らすことができ、これによって、記録安定性を図ることができる。
【００７７】
一方、ホログラフィック記録層２６０内の情報層と情報層との間は間隔が存在するので、この情報層間には、図５でのように、スペース層２７８が存在することになる。ここで、スペース層２７８は、ホログラフィック記録層２６０内の情報層と情報層との間の領域を意味する。
【００７８】
従って、このスペース層２７８のモノマー（monomer）拡散によるノイズ発生可能性を抑制するように、このスペース層２７８にも、定着光を照射して定着させる必要がある。スペース層２７８の定着は、次の方式でなされうる。
【００７９】
例えば、ホログラムマーク記録を介した１層の情報層形成、及びこの１層の情報層定着後、次の情報層を形成するに先立ち、１層の情報層と次に形成する情報層との間のスペース層を定着させることができる。
【００８０】
すなわち、ホログラムマークを記録して１層の情報層を形成し、この１層の情報層に光を照射して定着させ、隣接したスペース層に光を照射して定着させた後、次の情報層形成のためのホログラムマーク記録、及びホログラムマークが記録された次の情報層に光を照射しての定着を行う方式で、複数の情報層形成、各情報層及びその間のスペース層定着がなされうる。
【００８１】
また、情報層形成及びその情報層を定着させる過程を複数回反復遂行し、複数の情報層を形成及び定着した後に、複数の情報層間に存在するスペース層に光を照射し、スペース層を定着させる方式でなされうる。
【００８２】
すなわち、ホログラムマークを記録して１層の情報層を形成し、この１層の情報層に光を照射して定着させた後、次の情報層形成のためのホログラムマーク記録を行う方式で、複数の情報層形成及び各情報層を定着させ、複数の情報層形成及び定着後、スペース層に光を照射し、スペース層を定着させることができる。
【００８３】
一方、前記の通りに、反射層２４０を有する反射型ホログラフィック情報記録媒体２００を採用する場合、信号光Ｌ１１及び参照光Ｌ１２は、ホログラフィック情報記録媒体２００の同一面を介して入射され、信号光Ｌ１１及び参照光Ｌ１２のうち、いずれか一つ、例えば、参照光Ｌ１２は、ホログラフィック情報記録媒体２００に入射され、直ちにホログラフィック記録層２６０のホログラムマーク形成位置に照射され、他の１つの光、例えば信号光Ｌ１１は、ホログラフィック情報記録媒体２００に入射され、反射層２４０から反射された後、ホログラフィック記録層２６０のホログラムマーク形成位置に照射される。このような信号光Ｌ１１及び参照光Ｌ１２の照射によって、反射層２４０から最も遠いか、あるいは最も近いホログラフィック記録層２６０の位置から、ホログラムマーク記録を介した情報層形成がなされる。図３ないし図５では、反射層２４０から最も遠い位置からホログラムマーク記録を介した情報層形成がなされる例を示している。
【００８４】
このとき、定着時には、偏光変換素子５２８の選択的偏光変換領域５２８ｂが偏光変換なしに光を透過させるように動作され、これによって、第１光源５１０から出射されたＰ偏光の光が、いずれも記録モード時の参照光Ｌ１２と同一光路に沿って、反射層２４０での反射過程なしに、直ちに焦点Ｆにフォーカシングされうる。従って、ホログラムマーク記録に使われる第１光源５１０から出射され、反射層２４０での反射過程なしにホログラムマーク形成位置に照射されうる単一光（例えば、参照光Ｌ１２の光路に沿う光）を利用し、情報層を定着したりスペース層を定着できる。
【００８５】
図６は、本発明の他の実施形態によるホログラフィック記録方法を実現できるホログラフィック情報記録／再生装置の光学的構成の一例を概略的に示している。
【００８６】
図６を参照するに、ホログラフィック情報記録／再生装置は、両面に光が照射される透過型ホログラフィック情報記録媒体７９０に情報を記録し、記録された情報を再生する装置であって、ホログラフィック情報記録媒体７９０の両面に光を照射し、照射された光を受光する光ピックアップ７００と、光ピックアップ７００から照射された光によって、ホログラフィック情報記録媒体７９０にホログラムマークが記録されて情報層が形成され、このホログラムマークが記録された情報層に、光を照射して定着させるように、光ピックアップ７００を制御する制御部８００と、図示されていない回路部とを含む。
【００８７】
光ピックアップ７００は、ホログラフィック情報記録媒体７９０のホログラフィック記録層に光を照射してホログラムマークを記録し、このホログラムマークが同一面上に記録されて得られる情報層を形成し、このようなホログラムマークが記録された情報層に光を照射し、定着（fixing）させるように設けられうる。
【００８８】
光ピックアップ７００は、例えば、光ＬＬを放出する光源７１０と、光源７１０から放出された光を信号光ＬＬ１及び参照光ＬＬ２に分岐させる光路分離素子７３０と、前記信号光ＬＬ１をホログラフィック情報記録媒体７９０に集束させる第１対物レンズ７６０と、前記参照光ＬＬ２をホログラフィック情報記録媒体７９０に集束させる第２対物レンズ７７０と、ホログラフィック情報記録媒体７９０から反射された再生光ＬＬ２ｒ´を検出する光検出器７８０とを含むことができる。また、光ピックアップ７００は、焦点位置を可変させる第１焦点制御ユニット７５０及び第２焦点制御ユニット７５３をさらに含むことができる。その他、光ピックアップ７００は、光源７１０から放出された光を平行光にするコリメーティングレンズ７２０と、光路を適切に折り曲げる第１反射部材７３２、第２反射部材７３４及び第３反射部材７３６とをさらに含むことができる。また、光ピックアップ７００には、サーボ遂行のためのサーボ光学系（図示せず）がさらに設けられうる。このサーボ光学系では、図１を参照に説明した構成が採用されうる。
【００８９】
光源７１０と光路分離素子７３０は、記録／再生用光を放出する光源部をなす。
【００９０】
光源７１０としては、例えば、青色光の半導体レーザダイオードが採用されうる。
【００９１】
コリメーティングレンズ７２０は、光源７１０から放出された記録／再生用光ＬＬを平行光にコリメーティングするものであり、図６では、光源７１０と偏光変換素子７２５との間に位置する例を示している。コリメーティングレンズ７２０は、偏光変換素子７２５と光路分離素子７３０との間、またはそれ以外の光路上に配されうる。
【００９２】
光源７１０として採用される半導体レーザダイオードは、一般的に、１偏光成分のレーザ光を主に放出するので、この場合、光源７１０と光路分離素子７３０との間には、偏光変換素子７２５が設けられうる。
【００９３】
偏光変換素子７２５は、例えば、１／２波長板（half  wave  plate）や、１／４波長板（quarter  wave  plate）のような波長板が採用されうる。例えば、偏光変換素子７２５として能動型１／２波長板が採用される場合、入射される所定線偏光の光は、能動型１／２波長板を通過しつつ、偏光方向が回転され、互いに直交する２つの線偏光成分、すなわち、Ｓ偏光成分とＰ偏光成分とを有する光に変換されうる。偏光変換素子７２５として能動型１／４波長板が採用される場合、入射される所定線偏光の光は、円偏光の光に偏光変換される。このような円偏光の光は、互いに直交する２つの線偏光の偏光成分に分解されうる。このように、偏光変換素子７２５を経由した光のＳ偏光成分とＰ偏光成分は、記録時にそれぞれ、信号光ＬＬ１並びに参照光ＬＬ２として使われうる。
【００９４】
偏光変換素子７２５は、記録動作中には、偏光変換機能を行い、再生動作中には、偏光変換機能を行わない能動型でありうる。すなわち、偏光変換素子７２５は、能動型１／２波長板（active  half  wave  plate）や能動型１／４波長板（active  quarter  wave  plate）でありうる。このように、偏光変換素子７２５として能動型素子を使用する場合、再生時に、光源７１０から放出される光のほとんどを再生光として使用できる。
【００９５】
前記ホログラフィック情報記録／再生装置が、信号光ＬＬ１と参照光ＬＬ２との干渉によって形成される干渉縞が、各焦点ごとに単一ビットの情報を含んでいるマイクロ・ホログラフィ方式を具現するとき、光源７１０から放出される光は、１ビットずつ変調されて放出される。従って、前記信号光ＬＬ１や参照光ＬＬ２は、いずれも記録情報を含んでいるので、記録過程において、本質的に差はなく、その用語は、互いに変わりもする。便宜上、ホログラフィック情報記録媒体７９０に入射される再生光ＬＬ２ｉ’の経路と同じ経路に進む光を参照光ＬＬ２と表示する。
【００９６】
光路分離素子７３０は、互いに直交する２つの偏光成分を分岐させ、各偏光成分の光が別個の光路に沿って、ホログラフィック情報記録媒体７９０に照射されるようにする。光路分離素子７３０としては、偏光方向によって光の透過と反射とが変わる偏光ビームスプリッタ（beam  splitter）が採用されうる。例えば、光路分離素子７３０は、入射されるＰ偏光の光はそのまま透過させ、入射されるＳ偏光の光は反射させうる。光路分離素子７３０は、再生時に、ホログラフィック情報記録媒体７９０に入射される再生光ＬＬ２ｉ’と、ホログラフィック情報記録媒体７９０に反射される再生光ＬＬ２ｒ’とを分離する機能も行うことができる。
【００９７】
光検出器７８０は、光路分離素子７３０の一側に配され、ホログラフィック情報記録媒体７９０から反射され、光路分離素子７３０を経由した再生光ＬＬ２ｒ’を検出する。
【００９８】
光路分離素子７３０で分岐された信号光ＬＬ１と参照光ＬＬ２は、集束光学系を経て、ホログラフィック情報記録媒体７９０に入射される。
【００９９】
ホログラフィック情報記録媒体７９０は、両面から信号光ＬＬ１と参照光ＬＬ２とが照射される透過型媒体であり、この場合、集束光学系は、信号光ＬＬ１を集束させる第１集束光学系と、参照光ＬＬ２を集束させる第２集束光学系とに分けられる。シャッタ７４０、第１焦点制御ユニット７５０、第１反射部材７３２及び第２反射部材７３４、第１  １／４波長板７６５、及び第１対物レンズ７６０は、信号光ＬＬ１を集束させる第１集束光学系をなすことができ、第２焦点制御ユニット７５３、第３反射部材７３６、第２  １／４波長板７７５及び第２対物レンズ７７０は、参照光ＬＬ２を集束させる第２集束光学系をなすことができる。
【０１００】
第１反射部材７３２、第２反射部材７３４及び第３反射部材７３６は、光学素子が適切に配されうるように、光路としては折り曲げられる光学部材であり、ミラーや全反射プリズムなどが採用されうる。
【０１０１】
シャッタ７４０は、入射される光を透過／遮断できる光学部材である。本発明の他の実施形態によるホログラフィック情報記録方法を実現する場合、シャッタ７４０は、次の通り動作されうる。記録動作中には、信号光ＬＬ１をホログラムマーク７０ａの記録中には、そのまま通過させ、定着動作中には、例えば、信号光ＬＬ１を遮断させ、参照光ＬＬ２だけ定着に使われるようにし、再生動作中には、再生光ＬＬ２ｉ’がホログラフィック情報記録媒体７９０に入射され、このホログラフィック情報記録媒体７９０を通過し、前記信号光ＬＬ１と反対経路に沿って進んで光路分離素子７３０に入射されることを遮断できる。
【０１０２】
後述する他の実施形態と同じように、定着動作に、ホログラフィック情報記録媒体７９０の両面を介して入射される信号光ＬＬ１及び参照光ＬＬ２をいずれも利用する場合、定着動作中に、シャッタ７４０は、光を通過させるように動作されうる。
【０１０３】
一方、光源７１０から出射される光ＬＬは、完全な線偏光の光ではなく、一部他の線偏光成分を含むことができるので、再生動作時に、光源７１０側から光路分離素子７３０を透過して進む再生光ＬＬ２ｉ’だけではなく、光路分離素子７３０から反射される一部光も存在しうる。前記の通り、再生動作時、シャッタ７４０は、入射光を遮断するように動作される、この一部光は、シャッタ７４０によって遮断され、ホログラフィック情報記録媒体７９０側に進めない。
【０１０４】
第１焦点制御ユニット７５０及び第２焦点制御ユニット７５３は、信号光ＬＬ１及び参照光ＬＬ２のホログラフィック情報記録媒体７９０内の焦点位置を可変させる。例えば、第１焦点制御ユニット７５０は、第１リレイレンズ７５１及び第２リレイレンズ７５２を含み、第１リレイレンズ７５１は光軸に沿って平行移動されるように、機構的に駆動され、信号光ＬＬ１の焦点位置を変更させうるように構成できる。また、第２焦点制御ユニット７５３は、第３リレイレンズ７５４及び第４リレイレンズ７５５を含み、第３リレイレンズ７５４は、光軸に沿って平行移動されるように駆動され、参照光ＬＬ２の焦点位置を変更させうるように構成されうる。このように、第１焦点制御ユニット７５０及び第２焦点制御ユニット７５３を介して、信号光ＬＬ１及び参照光ＬＬ２の焦点位置を可変させることによって、ホログラフィック情報記録媒体７９０内で、ホログラフィック干渉縞、すなわち、ホログラムマークが多層で記録できるようにする。
【０１０５】
第１偏光板７６５及び第２偏光板７７５は、ホログラフィック情報記録媒体７９０に入射される光の偏光を、線偏光から円偏光に変換させる。
【０１０６】
一方、本実施形態にホログラフィック情報記録／再生装置に使われるホログラフィック情報記録媒体７９０は、透過型である。本発明の実施形態によるホログラフィック情報記録／再生装置に使われる透過型ホログラフィック情報記録媒体７９０は、基板（図示せず）上にホログラフィック記録層７９１（図７）を具備し、その他の追加的構成は、選択的に具備できる。すなわち、透過型ホログラフィック情報記録媒体７９０は、図２を参照に説明した反射型ホログラフィック情報記録媒体２００と、反射層及びスペース層などを除いては類似しているように、基板上に、サーボ層と、バッファ層と、ホログラフィック記録層７９１と、カバー層とが順次に積層された構造を有することができる。また、ホログラフィック記録層７９１の一側、例えば、内周側または外周側には、ホログラフィック記録層７９１に形成される複数の情報層を識別する情報を得るための層識別領域が存在しうる。この層識別領域は、例えば、ホログラフィック記録層７９１内に形成される複数の情報層に対応する複数の反射層と、前記反射層間に介在される複数の透明スペース層とを含むことができる。このような、透過型ホログラフィック情報記録媒体７９０をなす各層及び領域の材質及び物理／光学的特性などは、前述の反射型ホログラフィック情報記録媒体２００の場合と類似しているので、ここでは、その詳細な図示及び説明を省略する。
【０１０７】
図７ないし図９を参照するに、記録動作時、透過型ホログラフィック情報記録媒体７９０の両面を介して照射される信号光ＬＬ１及び参照光ＬＬ２が、ホログラフィック記録層７９１で互いに干渉を起こす。このような記録動作を介して、ホログラフィック記録層７９１には、干渉縞によるホログラムマークを記録して得られる情報層７９３（７９３−１，７９３−２，…，７９３−ｎ；ここで、ｎは２以上の整数）が存在することになる。情報を記録する前には、情報層７９３は仮想的にだけ存在し、物理的にホログラフィック記録層７９１の他の領域と差がない。
【０１０８】
ホログラフィック記録層７９１は、干渉縞によるホログラムマーク形態で情報が記録されうる光反応物質で形成される。例えば、ホログラフィック記録層７９１は、フォトポリマー（photo  polymer）や熱可塑性物質で形成されうる。光反応物質は、光を吸収すれば、屈折率が変わる物質であり、一般的に、光度に比例して屈折率が変わることになる。光反応物質は、所定の臨界値を有し、臨界値以上の光でのみ反応が起こる非線形特性を有することができる。ホログラフィック記録層７９１の材料が非線形特性を有する場合、ホログラフィック記録層７９１の深さ方向に、複数の情報層を形成しようとするとき、焦点位置から遠ざかるほど、急激に干渉縞の強度が弱くなり、稠密に多層記録して記録密度を高めることができるためである。
【０１０９】
以下、図６を参照して説明したホログラフィック情報記録／再生装置を利用した情報記録方法について説明する。図６を参照するに、ホログラフィック情報記録／再生装置は、まず、光ピックアップ７００を、ホログラフィック情報記録媒体７９０の層識別領域に光を照射するように位置させ、層識別領域に設けられた層識別情報を読み取ることによって、第１対物レンズ７６０及び第２対物レンズ７７０の焦点位置を確認する。このとき、層識別領域に照射される光は、例えば、信号光ＬＬ１及び参照光ＬＬ２を利用できる。ここでは、層識別時に使われる光を、便宜上、信号光ＬＬ１及び参照光ＬＬ２と表現するが、層識別時に使われる信号光ＬＬ１及び参照光ＬＬ２は、記録動作時の変調された光ではなく、非変調の光でありうる。
【０１１０】
次に、情報を記録したり、または記録された情報を読み取ろうとする情報層７９３の位置に該当する層識別領域の反射層で、第１対物レンズ７６０及び第２対物レンズ７７０の焦点位置Ｆを可変させる。このような焦点位置Ｆの可変は、第１焦点制御ユニット７５０及び第２焦点制御ユニット７５３を介してなされる。
【０１１１】
次に、ホログラフィック情報記録／再生装置は、第１対物レンズ７６０及び第２対物レンズ７７０の焦点位置Ｆを維持したまま、光ピックアップ７００をホログラフィック記録層７９１の情報記録領域に移動させ、該当する位置に情報を記録し、情報層７９３を形成したり、情報層７９３に記録された情報を読み取る。
【０１１２】
記録モード時、信号光ＬＬ１と参照光ＬＬ２は、第１対物レンズ７６０及び第２対物レンズ７７０によって、それぞれホログラフィック記録層７９１内の情報層７９３に焦点Ｆを結ぶ。このように、信号光ＬＬ１と参照光ＬＬ２とが情報層７９３に焦点Ｆを結ぶことによって、情報層７９３には、干渉縞が形成される。このような干渉縞は、光ＬＬの変調された状態によって、その形状が変わるので、干渉縞によって情報が記録される。このような干渉縞は、同一面上でトラックに沿って記録され、ホログラフィック記録層７９１内に、１つの情報層７９３を形成でき、ホログラフィック記録層７９１の深さ方向に、焦点位置を異にしつつ干渉縞を形成することによって、多層で記録して複数の情報層を形成できる。ホログラフィック情報記録媒体７９０は、各焦点Ｆごとに単一ビットの情報が干渉縞に込められるマイクロ・ホログラフィ方式を適用できるが、本発明の実施形態は、これに限定されるものではない。例えば、前記焦点Ｆで、信号光ＬＬ１のスポットと参照光ＬＬ２のスポットとが重なり、立体的に干渉縞が形成され、多数の情報が同時に書き込まれるボリューム・ホログラフィ方式が適用されることも可能である。
【０１１３】
本発明の他の実施形態によるホログラフィック情報記録方法によれば、制御部８００の制御によって、記録時には、ホログラフィック記録層の所望の層位置の同一面上で、トラックに沿って、ホログラムマークを記録して１つの情報層を形成し、ホログラムマークが記録された情報層に光を照射し、この情報層を定着させる。
【０１１４】
制御部８００は、記録モード時には、光源７１０から変調された光ＬＬが出射され、再生モード時や定着モード時には、非変調の光ＬＬが出射されるように、光源７１０を制御できる。
【０１１５】
ホログラフィック記録層７９１に深さ方向に、ホログラムマークが記録された複数の情報層を形成するとき、図７のように、まず信号光ＬＬ１及び参照光ＬＬ２を１層の情報層７９３−１を形成する位置に焦点Ｆを結ばせ、信号光ＬＬ１及び参照光ＬＬ２の干渉によって得られるホログラムマークを記録し、１層の情報層７９３−１を形成する。その後、例えば、シャッタ７４０を信号光ＬＬ１の進行を遮断するように動作させ、図８のように、参照光ＬＬ２だけを直ちに先立って形成された情報層７９３−１に照射し、情報層７９３−１を定着させる。
【０１１６】
その後、対物レンズ７３４の焦点位置を変更し、図９のように、次の情報層７９３−２が記録された位置に焦点Ｆを位置させた後、次の情報層７９３−２を形成する。その後、この情報層７９３−２に、例えば参照光ＬＬ２だけを照射し、情報層７９３−２を定着させる。
【０１１７】
ここで、定着時に前記の通りに、１つの光、すなわち、参照光ＬＬ２だけを利用する場合、次に形成される情報層を過ぎない方向に照射される光、すなわち、参照光ＬＬ２を利用すれば、定着時に照射される光によって、ホログラフィック記録層２６０の未反応領域（すなわち、記録がまだなされていない領域）の感度低下及びＭ＃損失などを最大限減らすことができる。ホログラフィック記録層２６０の材質は、光が照射される回数が多くなるほど、感度低下及びＭ＃損失が発生しうるので、定着光は、情報層形成がまだなされていない領域を経由しない光を利用することが、未反応領域の感度低下及びＭ＃損失などを最大限減らすことができる。一方、未反応領域の感度低下及びＭ＃損失などを減らすことを考慮し、複数の情報層形成は、定着光、すなわち、参照光ＬＬ２が入射される光入射面に近い位置からなされもする。
【０１１８】
前記の通りに、第１対物レンズ７６０及び第２対物レンズ７７０の焦点位置を変更しつつホログラムマークを記録し、１層の情報層を形成し、この１層の情報層に光を照射して定着させた後、次の情報層形成のためのホログラムマーク記録を行う方式で、ホログラフィック記録層７９１内に深さを異にしつつ複数の情報層、すなわち、第１情報層ないし第ｍ情報層７９３−１，…，７９３−ｍ（ここで、ｍは２以上の整数）形成及び各情報層の定着を行うことができる。
【０１１９】
このとき、各情報層には、ホログラムマークが記録された記録マーク領域７９４と、その他のスペース領域７９５とが存在するが、定着動作時に、定着のための光は、記録マーク領域７９４だけではなく、スペース領域７９５を等しく過ぎるように照射される。このように、記録マーク領域７９４とスペース領域７９５とにいずれも定着光を照射すれば、情報層前領域が定着されると同時に、ホログラムマークが記録された領域と未記録の領域との屈折率差が減るように調節でき、前述のように、球面収差を減らすことができ、これによって、記録安定性を図ることができる。
【０１２０】
一方、ホログラフィック記録層７９１内の情報層と情報層との間は間隔が存在するので、この情報層間には、図９のように、スペース層７９８が存在することになる。
【０１２１】
従って、このスペース層７９８のモノマー拡散によるノイズ発生可能性を抑制するように、このスペース層７９８にも、定着光を照射して定着をさせる必要がある。スペース層７９８の定着は、次の方式でなされうる。
【０１２２】
例えば、ホログラムマーク記録を介した１層の情報層形成及びこの１層の情報層の定着後、次の情報層を形成するに先立って、１層の情報層と次に形成する情報層との間のスペース層を定着させうる。
【０１２３】
すなわち、ホログラムマークを記録して１層の情報層を形成し、この１層の情報層に光を照射して定着させ、隣接したスペース層に光を照射して定着させた後、次の情報層形成のためのホログラムマーク記録、及びホログラムマークが記録された次の情報層に光を照射しての定着を行う方式で、複数の情報層形成、各情報層及びその間のスペース層定着がなされうる。
【０１２４】
また、情報層形成及びその情報層を定着させる過程を複数回反復遂行し、複数の情報層を形成及び定着した後に、複数の情報層間に存在するスペース層に光を照射し、スペース層を定着させる方式でなされうる。
【０１２５】
すなわち、ホログラムマークを記録して１層の情報層を形成し、この１層の情報層に光を照射して定着させた後、次の情報層形成のためのホログラムマーク記録を行う方式で、複数の情報層形成及び各情報層の定着を行い、複数の情報層形成及び定着後、スペース層に光を照射してスペース層を定着させうる。
【０１２６】
以上のように、ホログラフィック記録層７９１内に深さを異にしつつ形成される第１情報層ないし第ｍ情報層７９３−１，…，７９３−ｍのうち、最初に形成される情報層を第１情報層、最後に形成される情報層を第ｍ情報層とするとき、ホログラフィック情報記録媒体７９０の両入射面のうち、第１情報層７９３−１が第ｍ情報層７９３−ｍより近い入射面を介して入射される光、例えば、参照光ＬＬ２がホログラムマークが記録された情報層の定着に使われうる。
【０１２７】
一方、図８を参照に、定着時に１つの光、例えば、参照光ＬＬ２だけを利用すると説明及び図示したが、定着に参照光ＬＬ２だけではなく、信号光ＬＬ１も利用されうる。このとき、定着する位置で、信号光ＬＬ１と参照光ＬＬ２とが干渉縞を形成しないように、第１焦点制御ユニット７５０及び第２焦点制御ユニット７５３のうち、少なくともいずれか一つを駆動し、２つの光のうち、少なくともいずれか１つの焦点位置を変更できる。このように、２つの光を利用しても、２つの光の間の干渉縞形成が微小であって、記録に関係する影響がほとんどなければ、記録されたホログラムマークに影響を及ぼさないが、記録動作時の未反応モノマーを減らしたり除去でき、記録マーク領域とスペース領域との屈折率差、情報層とスペース層との屈折率差を減らすように定着がなされうる。
【符号の説明】
【０１２８】
２００，７９０  ホログラフィック情報記録媒体
２１０    基板
２２０    サーボ層
２３０    バッファ層
２４０，２８２  反射層
２５０，７９５  スペース層
２６０，７９１  ホログラフィック記録層
２７０，７９３  情報層
２７８，７９８  スペース層
２８０    層識別領域
２８１    透明スペース層
２９０    カバー層
５００，７００  光ピックアップ
５１０    第１光源
５２０，７５０  第１焦点制御ユニット
５２１，５２２，５６３，５６４  リレイレンズ
５２４    反射部材
５２６    第１ビームスプリッタ
５２８，７２５  偏光変換素子
５２８ａ  無変換領域
５２８ｂ  選択的偏光変換領域
５３０    偏光選択性屈折レンズ
５３０ａ  第１屈折レンズ領域
５３０ｂ  第２屈折レンズ領域
５３２    １／４波長板
５３４    対物レンズ
５５０    第２光源
５６０    第２ビームスプリッタ
５６２，７５３  第２焦点制御ユニット
５６６    第３ビームスプリッタ
５７０    第１光検出器
５７２    第２光検出器
６００    制御部
７１０    光源
７２０    コリメーティングレンズ
７３０    光路分離器
７３２    第１反射部材
７３４    第２反射部材
７３６    第３反射部材
７４０    シャッタ
７５１    第１リレイレンズ
７５２    第２リレイレンズ
７５４    第３リレイレンズ
７５５    第４リレイレンズ
７６０    第１対物レンズ
７６５    第１  １／波長板
７７０    第２対物レンズ
７７５    第２  １／４波長板
７８０    光検出器
７９４    記録マーク領域
Ｆ    焦点
Ｌ，ＬＬ  光
Ｌ１１，ＬＬ１  信号光
Ｌ１２，Ｌ１２’，ＬＬ２  参照光
ＬＬ２ｉ’，ＬＬ２ｒ’  再生光
【図１】
2010135054.tif 000003
【図２】
2010135054.tif 000004
【図３】
2010135054.tif 000005
【図４】
2010135054.tif 000006
【図５】
2010135054.tif 000007
【図６】
2010135054.tif 000008
【図７】
2010135054.tif 000009
【図８】
2010135054.tif 000010
【図９】
2010135054.tif 000011